(57)【要約】【課題】薬局や病院などが一体となって、医薬品に関するデータを共有できるデータベースを構築することができる健康関連データの集中管理システムを提供する。【解決手段】集中管理システム１０は、患者が薬局１１で薬を購買した医薬品に関する薬局用データと、患者の病院１２における診断および治療に関する病院用データと、患者の心身に関する心身データと、患者が飲食する健康食品に関する健康食品データとの少なくともいずれかが格納されたデータベースを備えるとともに、前記データベースからネットワークを介して端末において、患者に健康化情報を開示する情報開示手段を備えているので、複数の薬局１１または病院１２で患者の薬歴の情報を共有化することができるとともに、患者は自ら健康化に関する情報を前記データベースからパソコンや携帯電話などの端末において知ることができる。【選択図】図１
2009129081.tif 000002
【特許請求の範囲】
【請求項１】
薬局または病院で調剤される医薬品の情報を管理する健康関連データの集中管理システムにおいて、
前記集中管理システムは、患者が薬局で薬を購買した医薬品に関する薬局用データと、
患者の病院における診断および治療に関する病院用データと
患者の心身に関する心身データと、
患者が飲食する健康食品に関する健康食品データとの少なくともいずれかを格納したデータベースを備えるとともに、
前記データベースから電気通信回線を介して端末において、患者に健康化情報を開示する情報開示手段を備えたことを特徴とする健康関連データの集中管理システム。
【請求項２】
前記情報開示手段は、前記データベースの各データに基づいて、患者が服用する医薬品の副作用の情報を開示することを特徴とする請求項１に記載の健康関連データの集中管理システム。
【請求項３】
前記情報開示手段は、前記データベースの各データに基づいて、患者に対する次回の薬局への来店情報または次回の病院への通院情報を開示することを特徴とする請求項１に記載の健康関連データの集中管理システム。
【請求項４】
前記情報開示手段は、前記データベースの各データに基づいて、患者に対する最適の健康食品の情報を開示することを特徴とする請求項１に記載の健康関連データの集中管理システム。
【請求項５】
前記情報開示手段は、前記データベースの各データに基づいて、患者に対する最適の食生活に関する情報を開示することを特徴とする請求項１に記載の健康関連データの集中管理システム。
【請求項６】
前記情報開示手段は、前記データベースの各データに基づいて、患者に対する医薬品の健康管理コストに関する情報を開示することを特徴とする請求項１に記載の健康関連データの集中管理システム。
【請求項７】
前記データベースには、患者、薬局の薬剤師または病院の薬剤師のいずれかがアクセスできることを特徴とする請求項１〜請求項６のいずれか１項に記載の健康関連データの集中管理システム。
【発明の詳細な説明】
【技術分野】
【０００１】
この発明は健康関連データの集中管理システム、詳しくは医薬品の情報を取り込んだデータベースを基に患者の健康化を図る健康管理システムに関する。
【背景技術】
【０００２】
近年、情報処理化に伴い、医療用医薬品、薬局や病院などの医療機関において、医療用医薬品、ＯＴＣ（一般用医薬品）または健康食品などの薬歴の情報を集中管理する集中管理システムが構築されている。例えば、特許文献１には、各薬局ごとに、患者の薬暦を管理するデータベースを備えた管理システムが設けられている。
【特許文献１】特開２００５−１０９０４号公報
【発明の開示】
【発明が解決しようとする課題】
【０００３】
しかしながら、医療用医薬品を服用する患者の薬歴や自己の病歴などの医療に関するデータは、各病院、薬局、医療機関ごとに管理されていた。このため、他の薬局または他の病院においては、医療用医薬品、ＯＴＣ（一般用医薬品）または健康食品を購入する際に活用できない問題を有していた。
【０００４】
さらに、他の機関が持つ情報を共有化することができず、患者の健康化の情報を提供するための管理システムが未だ構築されていなかった。
【０００５】
また、患者が自分で前記データを自由に縦覧することができない問題を有していた。
【０００６】
この発明は、前記問題を解決するためになされたもので、病院や薬局などが一体となって、医薬品に関するデータを共有できるデータベースを構築することができる健康関連データの集中管理システムを提供することを目的とする。
【０００７】
また、この発明は、患者の健康化に関する情報を提供するとともに、その健康化の情報を自由に縦覧することができる健康関連データの集中管理システムを提供することを目的とする。
【課題を解決するための手段】
【０００８】
（１）本発明では、薬局または病院で調剤される薬の情報を管理する健康関連データの集中管理システムにおいて、前記集中管理システムは、患者が薬局で薬を購買した医薬品に関する薬局用データと、患者の病院における診断および治療に関する病院用データと、患者の心身に関する心身データと、患者が飲食する健康食品に関する健康食品データとの少なくともいずれかが格納されたデータベースを備えるとともに、前記データベースから電気通信回線を介して端末において、患者に健康化情報を開示する情報開示手段を備えたことを特徴とする。
【０００９】
（２）本発明は、前記（１）において、前記情報開示手段は、前記データベースの各データに基づいて、患者が服用する医薬品の副作用の情報を開示することを特徴とする。
【００１０】
（３）本発明は、前記（１）において、前記情報開示手段は、前記データベースの各データに基づいて、患者に対する次回の薬局への来店情報または次回の病院への通院情報を開示することを特徴とする。
【００１１】
（４）本発明は、前記（１）において、前記情報開示手段は、前記データベースの各データに基づいて、患者に対する最適の健康食品の情報を開示することを特徴とする。
【００１２】
（５）本発明は、前記（１）において、前記情報開示手段は、前記データベースの各データに基づいて、患者に対する最適の食生活に関する情報を開示することを特徴とする。
【００１３】
（６）本発明は、前記（１）において、前記情報開示手段は、前記データベースの各データに基づいて、患者に対する医薬品のコストに関する情報を開示することを特徴とする。
【００１４】
（７）本発明は、前記（１）〜（６）において、前記データベースには、患者、薬局の職員、病院の職員のみがアクセスできることを特徴とする。
【発明の効果】
【００１５】
請求項１に記載の発明によれば、薬局または病院で調剤される薬の情報を管理する健康関連データの集中管理システムにおいて、前記集中管理システムは、患者が薬局で薬を購買した医薬品に関する薬局用データと、患者の病院における診断および治療に関する病院用データと、患者の心身に関する心身データと、患者が飲食する健康食品に関する健康食品データとの少なくともいずれかが格納されたデータベースを備えるとともに、前記データベースから電気通信回線を介して端末において、患者に健康化情報を開示する情報開示手段を備えているので、複数の薬局または病院で患者の薬歴の情報を共有化することができるとともに、患者は自ら健康化に関する情報を前記データベースからパソコンや携帯電話などの端末において知ることができる。また、薬局または病院は、このようなデータベースを備えた管理システムに参加していることを、一般患者などにアピールすることができ、その一般患者を顧客として囲い込みを行うことができる。
【００１６】
請求項２に記載の発明によれば、前記情報開示手段は、前記データベースの各データに基づいて、患者が服用する医薬品の副作用の情報を開示するので、患者は、使用している医薬品の懸念すべき副作用、他の医薬品との相互作用などを知ることができる。
【００１７】
請求項３に記載の発明によれば、前記情報開示手段は、前記データベースの各データに基づいて、患者に対する次回の薬局への来店情報または次回の病院への通院情報を開示するので、患者は、使用している医薬品切れの日時を把握することができるとともに、来店日を薬局に、または、通院日を病院に連絡することができる。
【００１８】
請求項４に記載の発明によれば、前記情報開示手段は、前記データベースの各データに基づいて、患者に対する最適の健康食品の情報を開示するので、患者は開示された健康食品を飲食することにより、心身の健康化が図れる。
【００１９】
請求項５に記載の発明によれば、前記情報開示手段は、前記データベースの各データに基づいて、患者に対する最適の食生活に関する情報を開示するので、患者は開示された食生活を行うことにより、心身の健康化が図れる。
【００２０】
請求項６に記載の発明によれば、前記情報開示手段は、前記情報開示手段は、前記データベースの各データに基づいて、患者に対する医薬品のコストに関する情報を開示するので、患者は医薬品を購入するコスト管理をすることができる。
【００２１】
請求項７に記載の発明によれば、前記データベースには、患者、薬局の薬剤師、病院の医師のいずれかがアクセスできるので、一般人のデータベースへのアクセスを禁止することができ、セキュリティを確保することができる。
【発明を実施するための最良の形態】
【００２２】
以下、本願発明の実施の形態について、図面を参照しながらより具体的に説明する。
【００２３】
図１は本実施形態における健康関連データの集中管理システムのシステム構成を示すブロック図、図２は本実施形態における健康関連データの集中管理システムのハードウェア構成を示すブロック図、図３は本実施形態における集中管理システムのメイン処理工程を示すフローチャート、図４は集中管理システムの副作用開示処理工程を示すフローチャート、図５は集中管理システムの来店日開示処理工程を示すフローチャート、図６は集中管理システムの健康食品開示処理工程を示すフローチャート、図７は集中管理システムの食生活開示処理工程を示すフローチャート、図８は集中管理システムの健康管理コストの開示処理工程を示すフローチャートである。
【００２４】
図１に示すように、本実施形態における健康関連データの集中管理システム１０は、薬局１１、病院１２、医療機関１３ごとに健康関連データを集めて集中管理する管理サーバ１７が配設されている。また、その管理サーバ１７と連動して、健康関連データを容易に検索・抽出などの再利用をできるようにしたデータベース１６が配設されている。データベース１６は、電気通信回線２０などの通信ネットワークを介して、薬局１１でのパソコン１１１、病院１２でのパソコン１１２、医療機関１３でのパソコン１１３などと連結されている。そして、前記通信ネットワークには、患者１４の端末（パソコン１１４または携帯電話１１５）が連結されている。
【００２５】
図２に示すように、健康関連データのデータベース１６は、患者１４が薬局１１で薬を購買した医薬品に関する薬局用データを備えた薬局用データベース２１と、患者１４の病院１２における診断および治療に関する病院用データを備えた病院用データベース２２と、患者１４の心身に関する心身データを備えた心身用データベース２３と、患者１４が飲食する健康食品に関する健康食品データを備えた健康食品データベース２４との少なくともいずれかを有している。そのデータベースは、データ管理会社において、管理サーバ１７により集中管理されている。
【００２６】
薬局用データベース２１には、患者１４が服用する医薬品に関する薬局用データが格納されている。すなわち、薬局用データは、医薬品の効能、原材料、製造メーカ、製造年月日などの情報に関するものである。また、患者１４の現在または過去に服用した医薬品の種類および服用歴に関するものである。図２に示すように、これらのデータは、各薬局１１のパソコン１１１、またはレジのＰＯＳ（Ｐｏｉｎｔ  Ｏｆ  Ｓｙｓｔｅｍ）のバーコード１１６の読み取りにより管理サーバ１７を介して薬局用データベース２１に入力することができる。
【００２７】
病院用データベース２２には、患者１４の病院１２における診断および治療に関する病院用データが格納されている。病院１２での患者１４の診断結果、治療方法、処方箋などに関するものである。この病院用データは、病院１２または医療機関１３側に設置されたパソコン１１２〜１１３や、将来のＩＣカード化される保険証１１７などにより入力することができる。
【００２８】
心身データベース２３には、患者１４の心身に関する心身データが格納されている。すなわち、個人の病歴、既往症、アレルギー、副作用歴、生活習慣に関するものである。心身データは、薬局１１、病院１２または医療機関１３に設置されたパソコン１１１〜１１３などにより入力できるとともに、患者１４自身がパソコン１１４や携帯電話１１５を用いて入力することもできる。
【００２９】
健康食品データベース２４は、患者１４が飲食する健康食品に関する健康食品データが格納されている。すなわち、患者１４が飲食する健康食品の効能、製造コスト、製造年月日、他の健康食品との作用などに関するものである。
【００３０】
管理サーバ１７は、前記データベース１６内のデータを一元管理するとともに、電気通信回線２０を通じて、薬局１１側の端末１１１、病院１２側の端末１１２、医療機関１３側の端末１１３、患者１４側の端末（パソコン１１４または携帯電話１１５）とデータの送受信を行う。
【００３１】
電気通信回線２０は、一般のインターネット回線を使用し、前記管理サーバ１７、薬局１１側の端末１１１、病院１２側の端末１１２、医療機関１３の端末１１３および患者１４の端末１１４，１１５と連結されている。
【００３２】
前記データベース１６には、患者１４、薬局１１の職員、病院１２の職員、医療機関１３の職員のいずれかがアクセスできる。すなわち、本実施形態における集中管理システム１０のデータベース１６には医薬品のデータに携わる関係者のみがアクセスできる。したがって、一般人のデータベース１６へのアクセスを禁止することができ、セキュリティを確保することができる。
【００３３】
また、このようなデータベース１６を構築することにより、薬局１１は、このようなデータベース１６を備えた管理システム１０に参加していることを、一般患者１４などにアピールすることができ、その一般患者１４を顧客として囲い込みを行うことができる。
【００３４】
そして、本実施形態における健康関連データの集中管理システム１０は、サーバ内に情報開示手段を備えている。情報開示手段は、データベースから電気通信回線を介して端末において、患者１４に健康化情報を開示する。すなわち、情報開示手段は、前記データベースの各データに基づいて、患者１４が服用する医薬品の副作用の情報を開示する。また、患者１４に対する次回の薬局１１への来店情報または次回の病院１２への通院情報を開示する。さらに、患者１４に対する最適の健康食品の情報を開示する。さらに、患者１４に対する最適の食生活の情報を開示する。以下、具体的に健康化の情報を開示する情報開示方法について説明する。
【００３５】
最初に、集中管理システム１０の管理サーバ１７上でのメイン処理について図３を参照して説明する。
【００３６】
図３に示すように、まず、管理システムの管理用サーバの電源を立ち上げる（Ｓ３０１工程）と、患者１４から情報開示が要求されているか否かを判別（Ｓ３０２工程）し、情報開示が要求されている場合には、以下の情報開示処理を行う。すなわち、管理用サーバは、副作用情報開示処理工程（Ｓ３０３工程）、来店日開示処理工程（Ｓ３０４工程）、健康食品開示処理工程（Ｓ３０５工程）、食生活開示処理工程（Ｓ３０６工程）、健康管理コスト開示処理工程（Ｓ３０７工程）を行い、最後に電源がＯＦＦしているか否かを判定する（Ｓ３０８工程）。
【００３７】
次に、副作用の情報の開示について図４を参照して説明する。
【００３８】
副作用情報開示処理では、まず、管理サーバ１７に患者１４の医薬品の購入情報が与えられる（Ｓ４０１工程）。すなわち、薬局１１において、患者１４が医薬品を購入すると、医薬品の購入時にバーコードで入力されたり、または薬局１１のパソコンから薬局１１の職員が購買の情報を入力したりする。また、病院１２において、患者１４が通院したときに、処方箋として医薬品をもらったとき、病院１２の職員がその医薬品の購買の情報を入力したりする。
【００３９】
次いで、管理サーバ１７上で、患者１４が購買した医薬品のデータ抽出処理を行う（Ｓ４０２工程）。ここで、医薬品のデータとは、医薬品の種類、効能、個別の服作用、製造年月日、製造コストなどのデータを抽出する。
【００４０】
さらに、管理サーバ１７上で、患者１４自身の心身に関するデータの抽出を行う（Ｓ４０３工程）。すなわち、前記個人の病歴、既往症、アレルギー、副作用歴、生活習慣に関するものを抽出する。
【００４１】
そして、管理サーバ１７上において、前記患者１４が購買した医薬品のデータと、前記患者１４の心身に関するデータとを基づいて、比較演算をすることにより、副作用情報の開示を行う（Ｓ４０４工程）。例えば、薬局１１において患者１４が風邪薬を購入した場合、その患者１４がアレルギー体質を有する場合に、アレルギーを引き起こす副作用の情報を開示する。副作用情報の開示は、インターネットのｗｅｂ上または携帯電話の携帯サイトで行うことができる。または、メール送信で開示することもできる。
【００４２】
副作用情報は、上記のような患者１４特有の副作用情報を開示するだけでなく、一般的な副作用情報を開示することができる。一般的な副作用情報とは、例えば、患者１４が風薬を購入した場合に、眠気やのどの渇きなどを生じる副作用の情報を開示し、車の運転などの警告や注意を行う。
【００４３】
また、他の医薬品を服用しているか否かの判定を行い（Ｓ４０５工程）、服用している場合にはその他の医薬品のデータ抽出を行い（Ｓ４０６工程）、患者１４が購入した前記医薬品のデータと他の医薬品のデータとを比較演算することにより、他の医薬品との相互作用に関する副作用の情報を開示する（Ｓ４０７工程）。このようにして、患者１４は薬局１１や病院１２で医薬品を購入する際、使用している医薬品の懸念すべき副作用、他の医薬品との相互作用などを知ることができる。
【００４４】
次に、薬局１１または病院１２において薬を購入した後、次の来店日または通院日の情報を患者１４に対して開示する来店日情報開示処理について図５を参照して説明する。
【００４５】
まず、図５に示すように、薬局１１または病院１２において、患者１４が医薬品を購入すると（Ｓ５０１工程）、購入日などの購入情報が管理サーバ１７に与えられる（Ｓ５０２工程）。次いで、管理サーバ１７上で、患者１４が購買した医薬品のデータ抽出処理を行う（Ｓ５０３工程）。この後、前記購入日の購入情報と、前記抽出した医薬品の内容量、患者１４の服用回数などの情報とを比較演算することにより、患者１４の次の薬局１１への来店日または病院１２への通院日を計算する（Ｓ５０４工程）。そして、患者１４に対して、次の来店日または通院日などの来店日情報を開示する（Ｓ５０５工程）。この後、患者１４は管理サーバ１７に対して来店予定日を入力し（Ｓ５０６工程）、管理サーバ１７はその来店予定日などの情報を薬局１１や病院１２などに流す。
【００４６】
このようにして、薬局１１や病院１２などは、患者１４に対してパソコンや携帯電話で、次の来店日を開示することができ、患者１４はその来店する旨または来店予定薬局１１を指定することができる。これにより、患者１４は、医薬品の品切れや病院１２などでの待ち時間から開放される。また、薬局１１および病院１２は、患者１４からの来店予定日の連絡を受け、事前の受け入れを準備することができるとともに、患者１４の囲い込みが可能となる。
【００４７】
次に、健康食品の情報の開示について図６を参照して説明する。
【００４８】
まず、図６に示すように、薬局１１または病院１２において、患者１４が医薬品を購入すると（Ｓ６０１工程）、管理サーバ１７上で、患者１４が購買した医薬品のデータ抽出処理を行う（Ｓ６０２工程）。また、管理サーバ１７上で、患者１４自身の心身に関するデータの抽出を行う（Ｓ６０３工程）。そして、前記患者１４の心身に関するデータに基づいて、健康食品の開示を行う（Ｓ６０４工程）。
【００４９】
健康食品としては、ビタミン剤などのサプリメントや、ダイエット食品などが挙げられる。患者１４の薬局１１や病院１２でもらう医薬品では不足するビタミンについて、ビタミン剤などの健康食品の情報が開示され、開示された健康食品を飲食することによって、患者１４は健康化の増進を図ることができる。
【００５０】
次に、食生活開示処理について図７を参照して説明する。
【００５１】
まず、図７に示すように、薬局１１または病院１２において、患者１４が医薬品を購入すると（Ｓ７０１工程）、管理サーバ１７上で、患者１４が購買した医薬品のデータ抽出処理を行う（Ｓ７０２工程）。また、管理サーバ１７上で、患者１４自身の心身に関するデータの抽出を行う（Ｓ７０３工程）。そして、前記患者１４の心身に関するデータに基づいて、患者１４の最適な食生活情報の開示を行う（Ｓ７０４工程）。
【００５２】
具体的には、患者１４が糖尿病を患っている場合、糖尿病による合併症を防ぐために、食事の内容、食事の取り方、調理方法などの食生活に関する情報を流す。これにより、患者１４は、医薬品を投与しながら、食生活の改善ができ、健康化の増進を図ることができる。
【００５３】
次に、健康化管理コストの開示処理について図８を参照して説明する。
【００５４】
まず、図８に示すように、薬局１１または病院１２において、患者１４が医薬品を購入すると（Ｓ８０１工程）、管理サーバ１７上で、患者１４が購買した医薬品のデータ抽出処理を行う（Ｓ８０２工程）。次いで、管理サーバ１７上で、患者１４のこれまでの薬歴の検出を行う（Ｓ８０３工程）。過去の薬暦がある場合には、その薬暦のデータ抽出を行う（Ｓ８０４工程）。
【００５５】
その後、管理サーバ１７上で、患者１４が服用する他の医薬品があるか否かに判定を行う（Ｓ８０５工程）。その他の薬剤を服用している場合には、その医薬品のデータ抽出を行う（Ｓ８０６工程）。さらに、患者１４の心身の関するデータの抽出を行う（Ｓ８０７工程）。
【００５６】
そして、購入した医薬品のデータ、他の医薬品のデータおよび過去の薬暦に基づいて、これまでの医薬品に関するコストを計算するとともに、今後の健康化のために必要となる医薬品などの健康管理コストを計算する（Ｓ８０８工程）。その計算した健康管理コストを患者１４に開示する（Ｓ８０９工程）。
【００５７】
このようにして、患者１４は計算された健康化管理コストを基に、健康化のためのコスト管理を的確に行うことができるとともに、薬局１１または病院１２などは、医薬品の在庫管理ができるとともに、トレンドになっている医薬品の調達ができ、コスト削減などを行うことができる。
【００５８】
また、例えば、心臓病を患っている患者１４は、本実施形態における管理システム１０を用いて、食生活に関する情報を得ることができる。高血圧が原因で心臓病を患っている人は、塩分、肥満、高脂血症は糖質、脂肪、アルコールのとりすぎないような食生活の情報を得ることができる。
【００５９】
さらに、心臓病の人は、動悸、息切れを抑える薬を飲むときに、その薬に頭痛や胃腸の調子を悪くする場合には、その副作用の情報を開示する。
【００６０】
これにより、患者１４は自ら健康化に関する情報を前記データベースからパソコンや携帯電話などの端末において知ることができる。また、薬局または病院は、このようなデータベースを備えた管理システムに参加していることを、一般患者１４などにアピールすることができ、その一般患者１４を顧客として囲い込みを行うことができるのである。
【図面の簡単な説明】
【００６１】
【図１】本実施形態に係る健康関連データの集中管理システムの概念を示すブロック図である。
【図２】本実施形態に係る健康関連データの集中管理システムのハードウェアの構成を示すブロック図である。
【図３】本実施形態に係る健康関連データの集中管理システムのメイン処理のフローを示すフローチャートである。
【図４】本実施形態に係る健康関連データの集中管理システムの副作用開示処理のフローを示すフローチャートである。
【図５】本実施形態に係る健康関連データの集中管理システムの来店日開示処理のフローを示すフローチャートである。
【図６】本実施形態に係る健康関連データの集中管理システムの健康食品開示処理のフローを示すフローチャートである。
【図７】本実施形態に係る健康関連データの集中管理システムの食生活開示処理のフローを示すフローチャートである。
【図８】本実施形態に係る健康関連データの集中管理システムの健康管理コスト開示処理のフローを示すフローチャートである。
【符号の説明】
【００６２】
１０  管理システム、
１１  薬局、
１２  病院、
１３  医療機関、
１４  患者、
１６  データベース、
２０  電気通信回線、
２１  薬局用データベース、
２２  病院用データベース、
２３  心身データベース、
２４  健康食品データベース。
【図２】
2009129081.tif 000003
【図３】
2009129081.tif 000004
【図４】
2009129081.tif 000005
【図５】
2009129081.tif 000006
【図６】
2009129081.tif 000007
【図７】
2009129081.tif 000008
【図８】
2009129081.tif 000009
【図１】
2009129081.tif 000010